(57)【要約】【課題】充分に衝撃を緩衝し、かつ吸湿性に優れたプロテクター、および、これを固定するだけで容易に製作することができ、履き心地がよく、かつ着脱も容易なスポーツ用ストッキングの提供。【解決手段】外側緩衝層８の内側に内側緩衝層９を重合接着し、さらにその内側緩衝層９の内側に内側吸湿層１０を重合接着してなるプロテクター、および、これを内面の所要部位に固定したスポーツ用ストッキング。【選択図】  図３
2006063483.tif 000002
【特許請求の範囲】
【請求項１】
外側緩衝層の内側に内側緩衝層を重合接着し、さらにその内側緩衝層の内側に内側吸湿層を重合接着してなることを特徴とするプロテクター。
【請求項２】
上記外側緩衝層の外側に、さらに外側吸湿層を重合接着してなることを特徴とする請求項１記載のプロテクター。
【請求項３】
上記内側吸湿層の上下端部を上記外側緩衝層および内側緩衝層の上下縁から外方に延出させて突出片を形成してなることを特徴とする請求項１または２記載のプロテクター。
【請求項４】
上記外側吸湿層の上下端部を上記外側緩衝層および内側緩衝層の上下縁から外方に延出させて突出片を形成してなることを特徴とする請求項２記載のプロテクター。
【請求項５】
上記外側緩衝層と上記内側緩衝層とがＥＶＡやポリエチレン等の衝撃緩衝性に優れた合成樹脂材料からなることを特徴とする請求項１，２，３または４記載のプロテクター。
【請求項６】
上記外側緩衝層と上記内側緩衝層とが、硬度や種類の異なる合成樹脂材料からなることを特徴とする請求項５記載のプロテクター。
【請求項７】
上記内側吸湿層が、ポリエステル繊維等で編成または織成され、吸湿性および強度に優れたものであることを特徴とする請求項１，２，３，４，５または６記載のプロテクター。
【請求項８】
上記外側吸湿層が、ポリエステル繊維等で編成または織成され、吸湿性および強度に優れたものであることを特徴とする請求項２，３，４，５，６または７記載のプロテクター。
【請求項９】
内外面に貫通した通気孔を形成してなることを特徴とする請求項１，２，３，４，５，６，７または８記載のプロテクター。
【請求項１０】
請求項１，２，３，４，５，６，７，８または９記載のプロテクターを、その上下端部においてストッキング本体の内面の所要部位に固定してなることを特徴とするスポーツ用ストッキング。
【請求項１１】
上記プロテクターを、ストッキング本体の向こう脛に対向することととなる脚部の前側内面に固定してなることを特徴とする請求項１０記載のスポーツ用ストッキング。
【請求項１２】
上記プロテクターを、ストッキング本体の膝頭に対向することとなる膝部の前側内面に固定してなることを特徴とする請求項１０または１１記載のスポーツ用ストッキング。
【請求項１３】
上記プロテクターを、ストッキング本体の脹ら脛に対向することとなる脚部の後側内面に固定してなることを特徴とする請求項１０，１１または１２記載のスポーツ用ストッキング。
【請求項１４】
上記プロテクターをストッキング本体に、接着剤で固定してなることを特徴とする請求項１０，１１，１２または１３記載のスポーツ用ストッキング。
【請求項１５】
上記プロテクターをストッキング本体に、縫着して固定してなることを特徴とする請求項１０，１１，１２または１３記載のスポーツ用ストッキング。
【発明の詳細な説明】
【技術分野】
【０００１】
本発明は、サッカーをはじめとする各種のスポーツを行う際に脚部等を保護するためのプロテクター、および、これを内面に固定したスポーツ用ストッキングに関する。
【背景技術】
【０００２】
従来、図１１に示したように、ストッキング本体の向こう脛に対向することになる前側所要範囲の編地を二重の編地ａ，ｂとし、また、合成樹脂等製の緩衝材と受衝材を重合接着した二層構造の縦長棒状のパッド部体ｃ…を複数、所要の間隔をおいて並べた状態で、その各々の周面および全体の周面を通気性被覆材で被覆し接着連結した脛前面パッド（プロテクター）ｄを製作しておき、上記ストッキング本体の二重の編地ａ，ｂの間に上記プロテクターｄを挿入，挟持させ縫着した、本出願人の発明に係るスポーツ用ストッキングが知られている（特許文献１参照）。
【０００３】
また、同文献には、ストッキング本体の前側所要範囲を一重の編地ａとし、その内面に所要本数の上記パッド部体ｃ…を、互いに平行に並べてそれぞれ接着または溶着により直接固定し、向こう脛にそれらのパッド部体ｃ…を直接当接させるようにしたスポーツ用ストッキングも開示されている（図１２）。
【特許文献１】特開２００２−３１７３０４号公報
【発明の開示】
【発明が解決しようとする課題】
【０００４】
しかし、上記スポーツ用ストッキングの製作にあたっては、ストッキング本体の二重編地ａ，ｂの間に上記プロテクターｄを挿入，挟持してこれを縫着するとか、あるいは、ストッキング本体の内面に所要本数のパッド部体ｃ…をそれぞれ、個別に接着または溶着するなどの煩雑な工程を必要としていた。
【０００５】
また、上記の各パッド部体ｃ…の間には所要の間隔ｅが空けられているので（図１１，１２）、通気性が確保されていたが、いずれのものも、競技中に発汗するとある程度の蒸れが避けられずこれらのスポーツ用ストッキングの履き心地は必ずしもよくなかった。
【０００６】
そこで、本発明は、充分に衝撃を緩衝し、かつ吸湿性に優れたプロテクター、および、これを固定するだけで容易に製作することができ、履き心地がよく、かつ着脱の容易なスポーツ用ストッキングの提供を目的とする。
【課題を解決するための手段】
【０００７】
請求項１記載の本発明プロテクターは、外側緩衝層８の内側に内側緩衝層９を重合接着し、さらにその内側緩衝層９の内側に内側吸湿層１０を重合接着してなる。
【０００８】
請求項２記載の本発明は、上記外側緩衝層８の外側に、さらに外側吸湿層を重合接着してなる請求項１記載のプロテクターである。
【０００９】
請求項３記載の本発明は、上記内側吸湿層１０の上下端部を上記外側緩衝層８および内側緩衝層９の上下縁から外方に延出させて突出片１２を形成してなる請求項１または２記載のプロテクターである。
【００１０】
請求項４記載の本発明は、上記外側吸湿層の上下端部を上記外側緩衝層８および内側緩衝層９の上下縁から外方に延出させて突出片を形成してなる請求項２記載のプロテクターである。
【００１１】
請求項５記載の本発明は、上記外側緩衝層８と上記内側緩衝層９とがＥＶＡやポリエチレン等の衝撃緩衝性に優れた合成樹脂材料からなる請求項１，２，３または４記載のプロテクターである。
【００１２】
請求項６記載の本発明は、上記外側緩衝層８と上記内側緩衝層９とが、硬度や種類の異なる合成樹脂材料からなる請求項５記載のプロテクターである。
【００１３】
請求項７記載の本発明は、上記内側吸湿層１０が、ポリエステル繊維等で編成または織成され、吸湿性および強度に優れたものである請求項１，２，３，４，５または６記載のプロテクターである。
【００１４】
請求項８記載の本発明は、上記外側吸湿層が、ポリエステル繊維等で編成または織成され、吸湿性および強度に優れたものである請求項２，３，４，５，６または７記載のプロテクターである。
【００１５】
請求項９記載の本発明は、内外面に貫通した通気孔１１を形成してなる請求項１，２，３，４，５，６，７または８記載のプロテクターである。
【００１６】
請求項１０記載の本発明スポーツ用ストッキングは、請求項１，２，３，４，５，６，７，８または９記載のプロテクターを、その上下端部においてストッキング本体Ａ，Ａ’の内面の所要部位に固定してなる。
【００１７】
請求項１１記載の本発明は、上記プロテクターを、ストッキング本体Ａ，Ａ’の向こう脛に対向することとなる脚部５の前側内面に固定してなる請求項１０記載のスポーツ用ストッキングである。
【００１８】
請求項１２記載の本発明は、上記プロテクターを、ストッキング本体Ａ，Ａ’の膝頭に対向することとなる膝部７の前側内面に固定してなる請求項１０または１１記載のスポーツ用ストッキングである。
【００１９】
請求項１３記載の本発明は、上記プロテクターを、ストッキング本体Ａ，Ａ’の脹ら脛に対向することとなる脚部５の後側内面に固定してなる請求項１０，１１または１２記載のスポーツ用ストッキングである。
【００２０】
請求項１４記載の本発明は、上記プロテクターをストッキング本体Ａ，Ａ’に、接着剤で固定してなる請求項１０，１１，１２または１３記載のスポーツ用ストッキングである。
【００２１】
請求項１５記載の本発明は、上記プロテクターをストッキング本体Ａ，Ａ’に、縫着して固定してなる請求項１０，１１，１２または１３記載のスポーツ用ストッキングである。
【発明の効果】
【００２２】
本発明プロテクターは、外側緩衝層の内側に内側緩衝層を重合接着し、さらにその内側緩衝層の内側に内側吸湿層を重合接着してなるので、衝撃緩衝性、吸湿性に優れている。
【００２３】
また、内外面に貫通させて通気孔を開設すれば、通気性も確保できる。
【００２４】
本発明スポーツ用ストッキングは、上記プロテクターを、その上下端部においてストッキング本体の内面の所要部位に固定するだけで簡単に製作でき、また、内側吸湿層を内面側に有するので履き心地がよい。
【発明を実施するための最良の形態】
【００２５】
外側緩衝層８の内側に内側緩衝層９を重合接着し、さらにその内側緩衝層９の内側に内側吸湿層１０を重合接着してなるプロテクター、および、これを内面の所要部位に固定したスポーツ用ストッキング。
【実施例１】
【００２６】
Ａは、爪先部１，踵部２および足首部３からなる足部４と、その足部４に連続する脚部５と、その脚部５に連続し、上端に口ゴム部６を有する膝部７とからなるストッキング本体である。
【００２７】
Ｂは、上底を下底よりもやや長くした縦長で丸角の逆台形状で、左右両側を中央に対して後方に湾曲させ横断面円弧状にしたプロテクターである。
このプロテクターＢは、ＥＶＡ（エチレンビニールアセテート）やポリエチレン等の、一定の可撓性を有し衝撃緩衝性（衝撃吸収性，衝撃反発性）に優れた所要の合成樹脂材料からなる厚さ３〜８ｍｍ程度の外側緩衝層８の内側に、この外側緩衝層８と同じ合成樹脂材料からなる厚さ１〜４ｍｍ程度の内側緩衝層９を重合し、さらにその内側に、ポリエステル繊維等で編成または織成され、吸湿性および強度に優れた内側吸湿層１０を重合し、これら各層の全面をホットメルト接着剤や合成樹脂用接着剤等の接着剤により互いに接着した三層構造をなしている（図２，５，８等参照）。
なお、ここでは外側緩衝層８と内側緩衝層９をいずれも同じ材料からなるものとした例を示したが、たとえば、それらを硬度や種類の異なる合成樹脂材料からなるものとしてもよい。また、それらの厚さは適宜変更してもよい。
【００２８】
１１…は、上記外側緩衝層８，内側緩衝層９および内側吸湿層１０を貫通させて、すなわち該プロテクターＢの内外面に貫通させて形成された幅５ｍｍ程度、長さ２〜４ｃｍ程度の横長の通気孔である。
この通気孔１１…は、該プロテクターの中央に縦に５個、またその左右に縦に６個ずつ並べられて縦３列になっており、また、中央の列のものを左右の列のものに対し上下方向にずらすことにより、互い違いに配置してある（図５）。
なお、これらの通気孔１１…の個数や配置，サイズは適宜変更してもよい。
【００２９】
１２，１２は、上記内側吸湿層１０の上下端部を、外側緩衝層８および内側緩衝層９の上下縁から外方に延出させることにより形成した、突出片である。
【００３０】
本実施例のプロテクターＢは、上記外側緩衝層８，内側緩衝層９および内側吸湿層１０が一定の可撓性を有するので、力を加えると自在に屈曲するものであるが、さらに、横長の上記通気孔１１…を複数開設してあるから、図４に示したように、上下端を外面側へ屈曲させるのも、軽い力でフレキシブルに行えるようになっている。
【００３１】
そのプロテクターＢは、上記ストッキング本体Ａの上記脚部５の前側内面に、該プロテクターＢの上下端部、より具体的には、上記突出片１２，１２のみ、または、該突出片１２，１２および外側緩衝層８の上下縁部の外面を、ホットメルト接着剤等の接着剤で接着することにより、向こう脛に対向することとなる位置に固定される。
通常は上記突出片１２，１２のみを接着して固定すれば足りるが、より耐久性を高めたい場合等には、図４に示したように外側緩衝層８の上下縁部の外面をも接着するようにすればよい。
【００３２】
また、その固定は、該プロテクターＢの上下端部を、ストッキング本体Ａに対して接着することにより行うほか、縫着するなど他の方法で行ってもよい。
【００３３】
本実施例のスポーツ用ストッキングを着用すると、上記プロテクターＢの内面（内側吸湿層１０）が着用者の向こう脛に当接した状態になる（図３）。
そのプロテクターＢは、横断面を円弧状にしているから、向こう脛の形状に沿い、その全面が密着するため違和感がない。
また、外からの衝撃を緩衝，吸収ないし反発する上記外側緩衝層８および内側緩衝層９に、さらに内側吸湿層１０を重合し、全体として三層構造になっているので、従来の二層構造のパッド部体ｃ…からなるプロテクターｄに比べ衝撃を効果的に緩衝し、向こう脛を確実に保護することができる
【００３４】
また、このプロテクターＢは通気孔１１…を開設して通気性を良くするとともに、向こう脛に対向する内面を上記の通り吸湿性に優れた内側吸湿層１０からなるものとしており、この内側吸湿層１０が汗を吸収するので、通気孔を開けただけの従来のプロテクターよりも蒸れにくく履き心地がよい。
【００３５】
ところで、図１１に示した従来のスポーツ用ストッキングは、プロテクターｄが二重編地ａ，ｂの間に挟持されているから、膝部から脚部にかけての上半部分を裏返して着脱するときに、該プロテクターｄがストッキング本体を引っ張ってしまい、その着脱は容易でなかった。
また、図１２に示した従来のスポーツ用ストッキングも、パッド部体ｃを少なくとも上端部分１３、下端部分１４および中間部分１５の３点においてストッキング本体の内面に接着または溶着するか（図１３）、あるいは、その全長にわたって接着または溶着していたから、膝部から脚部にかけての上半部分を裏返して着脱するときには、図１１のものと同じように上記パッド部体ｃの中間部分１５がストッキング本体を引っ張ってしまい（図１３）、その着脱は容易でなかった。
【００３６】
これに対し、本実施例のスポーツ用ストッキングは、上記の通り外面側にも軽い力でフレキシブルに屈曲するプロテクターＢを、上下端部のみにおいてストッキング本体Ａの内面に固定しているので、たとえば、図４のように、プロテクターＢをアーチ形に屈曲させながら、膝部７から脚部５にかけての部分（上半部分）を容易に裏返すことができ、着脱が容易である。
【００３７】
すなわち、スポーツ用ストッキングを着用するときには、たとえば、まず爪先および踵を、上半部分を裏返した状態のスポーツ用ストッキングの足部４に差し込んで、図４に示した状態とし、次いで、裏返した状態の上記上半部分を元に戻しながら、脛の方へ引き上げればよい。
また、該スポーツ用ストッキングを脱ぐときには、たとえば、まず上半部分を裏返しながら爪先および踵の付近まで引き下げて、図４に示した状態とし、さらに爪先方向に引張ればよい。
【００３８】
なお、上記の着脱の方法は一例として挙げたものにすぎず、上下端部のみにおいてストッキング本体Ａに固定されたプロテクターＢは、軽い力でフレキシブルに変形するようになっているため、どのような着脱の仕方をする場合にも、その妨げにならないものである。
【００３９】
上記のスポーツ用ストッキングは、幼児用、小学生用、中学生用、成人用等標準的なサイズのものが何種類か用意される。したがって、使用者は適宜のサイズのものを着用するだけで、プロテクターＢを向こう脛に対向して位置させることができる。
【００４０】
上記においては、脛の前面すなわち向こう脛を保護するプロテクターＢをストッキング本体Ａに固定しているスポーツ用ストッキングについて説明したが、同様にして、膝を保護するための所要の形状および大きさのプロテクターを製作し、これをストッキング本体Ａの、膝頭に対向することとなる膝部７の前側内面に固定することもできる。これによれば、膝部分への衝撃を効果的に緩衝，吸収ないし反発させることもできる。
【００４１】
また、適宜の形状および大きさのプロテクターを、ストッキング本体Ａの脹ら脛に対向することとなる脚部５の後側内面等に固定すれば、脹ら脛等を保護するようにもできること明らかである。
【実施例２】
【００４２】
Ａ’は、上端の口ゴム部６を有する膝部７と、この膝部７に連続する脚部５と、この脚部５の下端に取り付けたバンド１６とからなる足かけ式のストッキング本体である（図１０）。
本実施例のスポーツ用ストッキングは、このストッキング本体Ａ’の上記脚部５の前側内面にプロテクターＢを固定してなるもので、実施例１のスポーツ用ストッキングとは、ストッキング本体Ａ’が足部４を有さず、その代わりにバンド１６を備えている点において異なるだけであるので、同一部分に同一符号を付し、詳細な説明は省略する。
【００４３】
なお、上記各実施例においてはプロテクターＢは、外側緩衝層８、内側緩衝層９および内側吸湿層１０の三層構造のものとして説明したが、たとえば、上記外側緩衝層８の外側にさらにもう一層、上記内側吸湿層１０と同じくポリエステル繊維等で編成または織成した外側吸湿層を重合接着して四層構造としてもよい（図示しない）。
その場合、該外側吸湿層の上下端部を、外側緩衝層８および内側緩衝層９の上下縁から外方に延出させることにより突出片を形成し、この突出片によってストッキング内面に固定することとすれば、上記内側吸湿層１０の突出片１２，１２を省略することもできる。
また、外側吸湿層には突出片を形成しないこととして、上記内側吸湿層１０の突出片１２，１２により固定してもよい。
【図面の簡単な説明】
【００４４】
【図１】本発明の実施例１に係る、プロテクターを固定したスポーツ用ストッキングの側面図である。
【図２】図１の要部拡大縦断面図である。
【図３】上記スポーツ用ストッキングを着用した状態を示した側面図である。
【図４】上記スポーツ用ストッキングを着脱する途中の状態を示した側面図である。
【図５】上記プロテクターの正面図である。
【図６】その側面図である。
【図７】その背面図である。
【図８】その平面図である。
【図９】図５のＩ-Ｉ線横断面図である。
【図１０】本発明の実施例２に係る、プロテクターを固定したスポーツ用ストッキングの側面図である。
【図１１】従来のスポーツ用ストッキングの横断面図である。
【図１２】従来の、他のスポーツ用ストッキングの部分横断面図である。
【図１３】パッド部体を３点で接着した従来のスポーツ用ストッキングを着脱する途中の様子を示した側面図である。
【符号の説明】
【００４５】
Ａ，Ａ’  ストッキング本体
Ｂ  プロテクター
ａ  編地
ｂ  編地
ｃ  パッド部体
ｄ  脛前面パッド（プロテクター）
ｅ  パッド部体の間隔
１  爪先部
２  踵部
３  足首部
４  足部
５  脚部
６  口ゴム部
７  膝部
８  外側緩衝層
９  内側緩衝層
１０  内側吸湿層
１１  通気孔
１２  突出片
１３  上端部
１４  下端部
１５  中間部
１６  バンド
【図１】
2006063483.tif 000003
【図２】
2006063483.tif 000004
【図３】
2006063483.tif 000005
【図４】
2006063483.tif 000006
【図５】
2006063483.tif 000007
【図６】
2006063483.tif 000008
【図７】
2006063483.tif 000009
【図８】
2006063483.tif 000010
【図９】
2006063483.tif 000011
【図１０】
2006063483.tif 000012
【図１１】
2006063483.tif 000013
【図１２】
2006063483.tif 000014
【図１３】
2006063483.tif 000015